(57)【要約】【課題】設置に要する手間とコストを低減することができるとともに、より表面積が広く重いパネルを支持することができ、しかも、建物の壁部の防水性や気密性を良好に確保できる建物の外側面における太陽電池パネルの設置構造を提供する。【解決手段】外側パネル１４の目地１６内における下地材（縦桟１２及び横桟２２）上にパネル取付用の支持部材１３を固定し、この支持部材１３に装着した挟持板１８Ａ，１８Ｂにより太陽電池パネル１１を外側パネル１４の外側に支持した。外側パネル１４間の目地１６を支持部材１３とコーキング剤１７とにより封止した。【選択図】図４
2010275808.tif 000002
【特許請求の範囲】
【請求項１】
建物の壁面の目地内に固定された支持手段に太陽電池パネルを支持した太陽電池パネルの設置構造であって、
前記目地内に配置された前記支持手段を建物の下地材上に固定するとともに、その支持手段と目地の内側面との間を充填材により充填したことを特徴とする建物の外側面における太陽電池パネルの設置構造。
【請求項２】
前記支持手段は、目地内において下地材に固定された支持部材と、その支持部材に固定されたボルトと、そのボルトに取り付けられた一対の挟持板とを有し、太陽電池パネルが前記挟持板間に挟持されるとともに、前記支持部材と目地の内側面との間に前記充填材が充填されたことを特徴とする請求項１に記載の建物の外側面における太陽電池パネルの設置構造。
【請求項３】
前記支持部材は、チャンネル材であることを特徴とする請求項２に記載の建物の外側面における太陽電池パネルの設置構造。
【請求項４】
前記ボルトにカラーを外嵌めし、太陽電池パネルをカラー上に支持したことを特徴とする請求項２または３に記載の建物の外側面における太陽電池パネルの設置構造。
【請求項５】
前記支持部材の縁部と建物の外側パネルの縁部とを重ねて固定したことを特徴とする請求項２〜４のうちのいずれか一項に記載の建物の外側面における太陽電池パネルの設置構造。
【発明の詳細な説明】
【技術分野】
【０００１】
この発明は、建物において壁面等の外側面における太陽電池パネルの設置構造に関するものである。
【背景技術】
【０００２】
近年、ビルにおける省エネルギーのために、ビルの外壁に設置した太陽電池パネルによりビルで消費される電力の一部をまかなうことが行われている。
そして、従来、ビルの外壁に太陽電池パネルを設置するには、外壁の外側に太陽電池パネル用の支持構造を鉄骨等で構築し、この支持構造を用いて太陽電池パネルを固定していた。このため、太陽電池パネルの構築に、多大な手間とコストが必要であった。
【０００３】
また、この種の技術としては、例えば特許文献１に記載されるものがある。この特許文献１の構成は、図８に示すように、薄い金属板材より形成された取付部材５０Ａ，５０Ｂを、図９に示すように外装材５１の目地部５２に設けて、下地５３に固定し、この取付部材５０Ａ，５０Ｂによりパネル５５を支持するものである。従って、この構成では、上記従来の構成とは異なり、太陽電池パネルを取り付けるための専用の支持構造は不要である。
【先行技術文献】
【特許文献】
【０００４】
【特許文献１】特開２００２−２２７３５３号公報
【発明の概要】
【発明が解決しようとする課題】
【０００５】
しかしながら、上記特許文献１の構成では、下地５３側の取付部材５０Ｂを、外装材５１の目地部５２の間隙から外装パネル５１と下地材５３との間に差し込むことができるように、その取付部材５０Ｂは薄い金属材により構成され、しかも左右方向及び高さ方向の各方向において２分割されている。このため、取付部材５０Ｂの強度をそれほど高くすることはできない上に、取付部材５０Ｂの下地５３に対する固定強度もそれほど高くすることができない。従って、特許文献１の構成は、大規模ビルの直立した外壁に設置されるような大面積で重い太陽電池パネルを支持することには適していない。しかも、外装パネル５１の目地部５２に加え、外装パネル５１と下地材５３との間にも、取付部材５０Ａ，５０Ｂを差し込むための隙間５４を設ける必要があるため、壁部の防水性や気密性を損なう虞がある。
【０００６】
この発明は、このような従来の技術に存在する問題点に着目してなされたものである。その目的とするところは、設置に要する手間とコストを低減することができるとともに、表面積が広く重いパネルであっても適切に支持することができ、しかも、建物の壁部の防水性や気密性を損なわないようにすることが可能な建物の外側面における太陽電池パネルの設置構造を提供することにある。
【課題を解決するための手段】
【０００７】
上記の目的を達成するために、請求項１に記載の発明は、建物の壁面の目地内に固定された支持手段に太陽電池パネルを支持した太陽電池パネルの設置構造であって、前記目地内に配置された前記支持手段を建物の下地材上に固定するとともに、その支持手段と目地の内側面との間を充填材により充填したことを特徴とする。
【０００８】
請求項２に記載の発明は、前記支持手段は、目地内において下地材に固定された支持部材と、その支持部材に固定されたボルトと、そのボルトに取り付けられた一対の挟持板とを有し、太陽電池パネルが前記挟持板間に挟持されるとともに、前記支持部材と目地の内側面との間に前記充填材が充填されたことを特徴とする。
【０００９】
請求項３に記載の発明は、前記支持部材は、チャンネル材であることを特徴とする。
請求項４に記載の発明は、前記ボルトにカラーを外嵌めし、太陽電池パネルをカラー上に支持したことを特徴とする。
【００１０】
請求項５に記載の発明は、前記支持部材の縁部と建物の外装パネルの縁部とを重ねて固定したことを特徴とする。
（作用）
この発明においては、建物の目地内に配置されるとともに建物の下地材上に固定された支持手段により太陽電池パネルが支持される。従って、太陽電池パネルを固定するための下地を建物の外側に構築する必要がないため、太陽電池パネルの設置作業が容易となるとともに設置コストが低減される。また、下地材に直接固定した支持手段を介して太陽電池パネルを支持する構成であるため、大面積で重いパネルを支持することが可能となる。加えて、支持手段と目地の内側面との間は充填材により充填されるため、壁部の防水性や気密性が良好に確保される。
【発明の効果】
【００１１】
この発明によれば、設置に要する手間とコストを低減することができるとともに、大面積で重いパネルを適切に支持することができ、しかも、建物の壁部の防水性や気密性を良好に確保できるという効果を発揮する。
【図面の簡単な説明】
【００１２】
【図１】一実施形態の太陽電池パネルの設置構造が適用された建物の壁面の一部を示す斜視図。
【図２】太陽電池パネルを示す斜視図。
【図３】ガラスカーテンウォールと外側パネルとの収まりを示す縦断面図。
【図４】太陽電池パネルの取付構造を示す特徴部の縦断面図。
【図５】支持部材及び外側パネルの取付状態を示す斜視図。
【図６】太陽電池パネルの取付状態を示す斜視図。
【図７】他の実施形態における太陽電池パネルの設置構造が適用された建物の外壁の一部を示す斜視図。
【図８】従来のパネル取付構造に用いられる取付部材を示す斜視図。
【図９】同じく取付部材の設置状態を示す縦断面図。
【発明を実施するための形態】
【００１３】
次に、この発明を具体化した一実施形態について、図１〜図６を参照して説明する。
図１及び図２に示すように、この実施形態の建物はカーテンウォール構造である。建物の壁面１には、各階に対応してガラスカーテンウォール２が設けられ、各ガラスカーテンウォール２のガラス３１間に位置するスパンドレル部１０の外側面には多数枚の太陽電池パネル１１が並設されている。
【００１４】
図３に示すように、ガラスカーテンウォール２は、梁２１を備えるとともに、図３〜図５に示すように、上下に位置する梁２１の間には、横桟２２及び縦桟１２よりなる下地枠３０が設けられている。この梁２１及び下地枠３０は、建物の躯体（図示しない）に固定されている。前記横桟２２及び縦桟１２は、例えばチャンネル材よりなる。この横桟２２及び縦桟１２の外側には、金属製の細長い支持部材１３がその延長方向を水平にした状態
で、図１に示すように、上下に所定間隔をおいて固定されている。この実施形態において、支持部材１３は上下縁付きのチャンネル材であって、その溝状の開口部１３ａが建物の外側に向けられている。
【００１５】
図３〜図６に示すように、前記横桟２２及び縦桟１２の外側において、上下に位置する支持部材１３の間には、金属製の外側パネル１４が取り付けられている。外側パネル１４は、上下端縁に折曲部１４ａ及び縁部１４ｂを有している。そして、上下に隣接する外側パネル１４の折曲部１４ａ間及び上下両端の外側パネル１４の折曲部１４ａとガラス３１の縁枠材２ａとの間に目地１６が形成されている。従って、各目地１６は水平方向に延在している。外側パネル１４の各縁部１４ｂを上側及び下側に位置する支持部材１３の縁部１３ｂに重ねた状態で、支持部材１３及び外側パネル１４は横桟２２及び縦桟１２にボルト１５により固定されている。目地１６内における支持部材１３と外側パネル１４との間の隙間には、充填材としてのコーキング剤１７が充填されている。
【００１６】
図４及び図６に示すように、支持部材１３の内側には固定板２０ｂが設けられ、その固定板２０ｂの透孔（図示しない）に対応する位置にはナット２０ｃが溶接により固定されている。そのナット２０ｃにはボルト２０ａが螺合により支持され、ボルト２０ａの外周にはカラー２０ｄが取り付けられている。前記ボルト２０ａには、一対の板材よりなる挟持板１８Ａ，１８Ｂが固定され、この挟持板１８Ａ，１８Ｂ間に、太陽電池パネル１１の枠材１９が挟持状態で支持されている。この枠材１９は前記カラー２０ｄによって受けられている。従って、太陽電池パネル１１は、外側パネル１４の外側に設けられている。この実施形態では、支持部材１３及び挟持板１８Ａ，１８Ｂにより支持手段が構成されている。
【００１７】
従って、上記のように構成されたこの実施形態においては、以下の効果がある。
（１）  建物の壁面１の目地１６内において支持部材１３が外側パネル１４を固定するための下地枠にボルト１５により固定され、この支持部材１３に対し挟持板１８Ａ，１８Ｂを介してボルト２０ａにより太陽電池パネル１１が支持される。従って、太陽電池パネル１１を固定するための専用の下地を外側パネル１４の外側に構築する必要がないため、太陽電池パネル１１の設置工事が容易となって施工コストが低減される。
【００１８】
（２）  下地材としての横桟２２及び縦桟１２に直接固定した支持部材１３に対し挟持板１８Ａ，１８Ｂを介して太陽電池パネル１１を支持する構成であるため、大面積で重い太陽電池パネル１１であっても、その太陽電池パネル１１を無理なく支持することが可能となる。
【００１９】
（３）挟持板１８Ａ，１８Ｂを、着脱可能なボルト２０ａにより支持部材１３に固定する構成としたので、太陽電池パネル１１の交換やメンテナンス等を容易に行うことができる。
【００２０】
（４）  太陽電池パネル１１を支持する支持部材１３が目地１６内に配置されているため、その支持部材１３が外側パネル１４から外方へ突出することあるいは大きく突出することを防止できる。このため、太陽電池パネル１１を外側パネル１４に接近させることができ、建物全体として良好な外観を維持できる。
【００２１】
（５）  支持部材１３と目地１６の内側面との間はコーキング剤１７により充填されるため、壁部の防水性や気密性が良好に確保される。
（６）  支持部材１３の縁部１３ｂと外側パネル１４の縁部１４ｂとが重ねられたてボルト１５により固定されているため、固定のためのボルト１５の本数が少なくなり、部品点数を減らすことができる。
【００２２】
なお、この実施形態は、次のように変更して具体化することも可能である。
・図７に示すように、支持部材１３を、その延長方向を垂直にして下地材に固定すること。すなわち、この図７の構成においては、上下方向に延在する目地１６内に支持部材１３が設けられる。
【００２３】
・支持部材１３として、チャンネル材に代えて角管を用いること。この場合には、角管の延長方向において所定間隔毎にボルトが挿通される孔を設ける。そして、この孔を通してボルトが固定板２０ｂのナット２０ｃに螺合される。
【符号の説明】
【００２４】
１…壁面、１１…太陽電池パネル、１２…下地材を構成する縦桟、１３…支持手段を構成するチャンネル材としての支持部材、１３ｂ…縁部、１４…外側パネル、１４ｂ…縁部、１６…目地、１７…充填剤としてのコーキング剤、１８Ａ，１８Ｂ…支持手段を構成する挟持板、２０ａ…ボルト、２０ｄ…カラー、２２…下地材を構成する横桟、３０…下地材としての下地枠。
【図１】
2010275808.tif 000003
【図２】
2010275808.tif 000004
【図３】
2010275808.tif 000005
【図４】
2010275808.tif 000006
【図５】
2010275808.tif 000007
【図６】
2010275808.tif 000008
【図７】
2010275808.tif 000009
【図８】
2010275808.tif 000010
【図９】
2010275808.tif 000011